(57)【特許請求の範囲】
【請求項１】
扱室前端部の下方に位置するグレンパン、このグレンパンの後方に位置するチャフシーブ、このチャフシーブの下方に位置するグレンシーブを有する揺動選別装置と、前記チャフシーブ及びグレンシーブに選別風を供給する唐箕とを備える脱穀機の選別装置であって、
前記揺動選別装置の横方向に並ぶ複数本の処理物支持杆と、この処理物支持杆どうしの間に位置する処理物落下通路とによって、グレンパンから落下する処理対象物を選別処理する選別杆装置を、この選別杆装置の前端側がグレンパンの後端の下方に位置し、かつ、選別杆装置の後端側がチャフシーブの前端側の上方に位置する状態で前記揺動選別装置に備えてあるとともに、選別杆装置の前端側とグレンパンの後端との間に上下方向での間隔を設けることで風路を形成し、前記唐箕とは別の第２唐箕によって前記風路を通って前記選別杆装置の前方からこの選別杆装置の上方を通る選別風を供給するように構成してある脱穀機の選別装置。
【請求項２】
前記第２唐箕からの選別風の一部を前記チャフシーブに供給する送風路を備えてある請求項１記載の脱穀機の選別装置。
【請求項３】
グレンパンの後端の下方かつチャフシーブの前端の前方に位置する箇所で、揺動選別装置の左右に亘って備えられた、送風路の一部を形成する分岐板に、選別杆装置を支持させてある請求項２記載の脱穀機の選別装置。
【請求項４】
前記選別杆装置の前記処理物支持杆が篩線である請求項１〜３のうちのいずれか１つに記載の脱穀機の選別装置。
【請求項５】
前記選別杆装置の前記処理物支持杆が板体である請求項１〜３のうちのいずれか１つに記載の脱穀機の選別装置。
【発明の詳細な説明】
【０００１】
【発明の属する技術分野】
本発明は、扱室前端部の下方に位置するグレンパン、このグレンパンの後方に位置するチャフシーブ、このチャフシーブの下方に位置するグレンシーブを有する揺動選別装置と、前記チャフシーブ及びグレンシーブに選別風を供給する唐箕とを備える脱穀機の選別装置に関する。
【０００２】
【従来の技術】
上記選別装置において、従来、たとえば特許公報第２７４０６４６号に示されるものがあった。すなわち、グレンパンとしてのフィードパンの終端からチャフシーブの前端側の上方に延出する篩線を備えるとともに、この篩線の下方に選別風を供給する第２唐箕を、チャフシーブやグレンシーブに選別風を供給する唐箕とは別に備え、フィードパンからの処理物がチャフシーブ上に落下する前に篩線と選別風とによって選別処理されて、処理物が多くても効果的に選別処理できるものがあった。
【０００３】
【発明が解決しようとする課題】
従来の上記した選別技術にあっては、穀粒が第２唐箕からの選別風によってワラ屑や塵埃と共に後方に飛ばされやすくなっていた。処理物が少ない場合には、殊に飛ばされやすくなっていた。この結果、塵埃や選別風と共に機外に排出される穀粒の量が多くなりがちであった。
本発明の目的は、処理物が多くても比較的効果的に選別処理でき、しかも、上記した穀粒損失を抑制しやすい脱穀機の選別装置を提供することにある。
【０００４】
【課題を解決するための手段】
請求項１による発明の構成、作用、効果はつぎのとおりである。
【０００５】
〔構成〕
扱室前端部の下方に位置するグレンパン、このグレンパンの後方に位置するチャフシーブ、このチャフシーブの下方に位置するグレンシーブを有する揺動選別装置と、前記チャフシーブ及びグレンシーブに選別風を供給する唐箕とを備える脱穀機の選別装置において、
前記揺動選別装置の横方向に並ぶ複数本の処理物支持杆と、この処理物支持杆どうしの間に位置する処理物落下通路とによって、グレンパンから落下する処理対象物を選別処理する選別杆装置を、この選別杆装置の前端側がグレンパンの後端の下方に位置し、かつ、選別杆装置の後端側がチャフシーブの前端側の上方に位置する状態で前記揺動選別装置に備えてあるとともに、前記唐箕とは別の第２唐箕によって前記選別杆装置の前方からこの選別杆装置の上方を通る選別風を供給するように構成してある。
【０００６】
〔作用〕
前端側がグレンパンの後端の下方に位置する選別杆装置を備えるとともに、チャフシーブ及びグレンシーブに選別風を供給する唐箕とは別の第２唐箕によって選別杆装置の上方に選別風を供給するものだから、グレンパンからの処理物がチャフシーブ上に落下する前に選別杆装置と選別風とによって選別処理され、チャフシーブやグレンシーブでは、供給される処理物の量が多くても処理物量の割りには効果的に選別処理されるのであり、そして、グレンパンからの処理物が第２唐箕からの選別風によって選別処理される際、選別杆装置の処理物支持杆によって支持されて穀粒が飛散しにくい状態で選別処理される。
【０００７】
〔効果〕
選別装置に供給される処理物が多くても、チャフシーブやグレンシーブによる選別処理が効果的に行われて精度よくかつ迅速に選別処理できる。その割りには、第２唐箕からの選別風に起因する穀粒の飛散を抑制して穀粒損失を少なくできる。
【０００８】
請求項２による発明の構成、作用、効果はつぎのとおりである。
【０００９】
〔構成〕
請求項１による発明の構成において、前記第２唐箕からの選別風の一部を前記チャフシーブに供給する送風路を備えてある。
【００１０】
〔作用〕
チャフシーブに唐箕と第２唐箕の両方から選別風を供給してチャフシーブでの選別処理をより効果的に行わせられるものである。
【００１１】
〔効果〕
チャフシーブでの選別処理がより効果的に行われ、より精度よく迅速に選別できる。しかも、選別杆装置の上方とチャフシーブとの両方に選別風を同一の第２唐箕によって供給して構造面や経済面で有利にできる。
【００１２】
請求項３による発明の構成、作用、効果はつぎのとおりである。
【００１３】
〔構成〕
請求項１又は２による発明の構成において、前記選別杆装置の前記処理物支持杆が篩線である。
【００１４】
〔作用〕
選別杆装置の処理物支持杆が篩線で成り、グレンパンからの処理物に振動を与えてより効果的に選別処理させられる。
【００１５】
〔効果〕
選別杆装置と選別風とによる選別処理が振動によってより効果的に行われてチャフシーブやグレンシーブにおいての選別処理が一層効果的に行われ、より精度よくかつ迅速に選別できる。
【００１６】
請求項４による発明の構成、作用、効果はつぎのとおりである。
【００１７】
〔構成〕
請求項１又は２による発明の構成において、前記選別杆装置の前記処理物支持杆が板体である。
【００１８】
〔作用〕
選別杆装置の処理物支持杆が板体で成って処理物に支持作用しやすく、穀粒がより飛散しにくい状態にしながら、第２唐箕からの選別風による選別処理を行わせられる。
【００１９】
〔効果〕
第２唐箕からの選別風による穀粒の飛散を効果的に抑制して穀粒損失をより少なくできる。
【００２０】
【発明の実施の形態】
図１に示すように、脱穀フィードチェーン１によって刈取り穀稈の穂先側を扱室２に供給して機体前後向きの軸芯３ａまわりで回動する扱胴３によって脱穀処理し、脱穀排ワラを前記脱穀フィードチェーン１によって扱室２の排出口２ａから搬出するように脱穀部Ａを構成してある。扱室２の前記排出口２ａから排出される脱穀処理物を支持体４によって受け止め支持させながら、機体横向きの軸芯まわりで回動する処理回転体５によってほぐし処理して、脱穀処理物から穀粒を取り出すように再処理部Ｂを構成してある。扱室２の下方から処理回転体５の下方にわたって位置している揺動選別装置１０を備える選別装置Ｃによって脱穀部Ａ及び再処理部Ｂからの処理物を穀粒と塵埃とに選別処理するように構成し、この選別装置Ｃからの１番処理物を機体の横外側に取り出すスクリューコンベアで成る１番コンベア６、及び、選別装置Ｃからの２番処理物を機体の横外側に搬送するスクリューコンベアで成る２番コンベア７を選別装置Ｃの底部に設けるとともに、２番コンベア７からの処理物を還元搬送装置８により、機体横外側の上部に揚送して揚送終端部で機体の内部に送り込み、扱室２と機体横側壁との間を通して前記揺動選別装置１０の始端部に供給するように構成し、もって、コンバイン用の脱穀機を構成してある。尚、扱室２の後方に位置する排ワラ搬送チェーン９は、脱穀フィードチェン１によって扱室２から搬出される脱穀排ワラを脱穀フィードチェーン１から受け継いで機体後方に搬出するものである。
【００２１】
前記選別装置Ｃには、前記揺動選別装置１０の他に、この揺動選別装置１０の前端側の下方に位置する第１唐箕２１と第２唐箕２２、揺動選別装置１０の後端側の下方の前記１番コンベア６より機体後方側で前記２番コンベア７より機体前方側に位置する２番唐箕２３、前記処理回転体５の後側の上方に位置する排塵ファン２４を備えてある。
【００２２】
揺動選別装置１０は、扱室２の前端部の下方に位置するグレンパン１１、このグレンパン１１の後方に位置するチャフシーブ１２、このチャフシーブ１２の後方に位置するストローラック１３、前記グレンパン１１と前記チャフシーブ１２との間に位置する選別杆装置１４、前記チャフシーブ１２の下方に位置するグレンシーブ１５、チャフシーブ１２の前端側の下方に位置する流下ガイド１６、グレンシーブ１５の後部の下方に位置する流下ガイド１７、ストローラック１３の下方に位置する流下ガイド１８のそれぞれや、これらを支持するとともに前記再処理部Ｂの前記支持体４を上端部で支持している選別枠体１９によって構成してある。この選別枠体１９の前端側が脱穀機体に固定のガイドレール２０ａに摺動及び回動自在に支持され、後端側がエキセン装置２０ｂを介して脱穀機体に駆動回動自在に支持されている。これにより、選別枠体１９は、前端側を支点にして後端側が脱穀機体の上下及び前後方向に移動するように揺動操作され、グレンパン１１、選別杆装置１４、チャフシーブ１２、ストローラック１３、グレンシーブ１５などを揺動操作する。
【００２３】
図２、図３などに示すように、前記選別杆装置１４は、グレンパン１１の後端部の下方に前記選別枠体１９に支持されて位置する断面コ字状の屈曲板で成る分岐板２５の上面側に前端側が連結して支持され、後端側がチャフシーブ１２の上方に位置する状態で揺動選別装置１０の横方向に並んでいる複数本の篩線１４ａと、この篩線１４ａどうしの間に穀粒などの処理物がチャフシーブ１２の前端側に落下するように隙間を設けて形成した処理物落下通路１４ｂとによって構成してある。これにより、選別杆装置１４は、前端側がグレンパン１１の後端の下方に位置し、後端側がチャフシーブ１２の前端側の上方に位置する状態でグレンパン１１とチャフシーブ１２の間に位置していて、グレンパン１１の終端と選別杆装置１４との間に落差を伴う選別風路Ｆ１を形成するとともに、グレンパン１１からの処理物をチャフシーブ１２の上に落下する前に篩線１４ａと処理物落下通路１４ｂとによって選別処理する。
【００２４】
揺動選別装置１０の前端側の下方に位置する第１唐箕２１と第２唐箕２２のうちのチャフシーブ１２及びグレンシーブ１５の前端近くに位置する第１唐箕２１は、機体横向きの軸芯まわりで回動するように駆動され、唐箕ケース２１ａの脱穀機体の両横側に位置する部分に設けてある吸気口から選別風を吸引し、この選別風を唐箕ケース２１ａから機体後方向きに延出する風道部２１ｂからチャフシーブ１１、グレンシーブ１５及びストローラック１３にこれらを下方から上方に通り抜けるように供給する。
【００２５】
図２に明示するように、前記第１唐箕２１の前端側の上方に位置する第２唐箕２２は、機体横向きの軸芯まわりで回動するように駆動され、唐箕ケース２２ａの周部に位置する機体前方向きの吸気口２２ｂから選別風を吸引し、この選別風を唐箕ケース２２ａから機体後方向きに延出する風道部２２ｃからグレンパン１１の後端側に向けて送り出す。この第２唐箕２２からの選別風は、前記分岐板２５により、この分岐板２５とグレンパン１１の終端との間を通って前記選別杆装置１４の前方からこれの上方の前記選別風路Ｆ１に流入する第１の流れと、分岐板２５の下側風向板部２５ａに沿って、この下側風向板部２５ａと前記流下ガイド１６とによって形成される送風路Ｆ２に流入する第２の流れとに分流される。前記送風路Ｆ２は、これに供給される第２唐箕２２からの選別風をチャフシーブ１２の前端側にこれを下方から上方に通り抜けるように供給する。
【００２６】
前記１番コンベア６と２番コンベア７との間に位置する前記２番唐箕２３は、機体横向きの軸芯まわりで回動するように駆動され、唐箕ケース２３ａの周部に位置する機体下向きの吸気口２３ｂから選別風を吸引し、この選別風を唐箕ケース２３ａから機体後方向きでかつ上方向きに延出する風道部２３ｃから２番コンベア７の上方に供給する。
【００２７】
排塵ファン２４は、機体横向きの軸芯まわりで回動するように駆動され、揺動選別装置１０からの塵埃を第１唐箕２１、第２唐箕２２、２番唐箕２３それぞれからの選別風と共にファンケース２４ａの周部に位置する吸気口２４ｂから吸引し、ファンケース２４ａから機体後方向きに延出する筒部２４ｃから脱穀機外に排出する。
【００２８】
これにより、選別装置Ｃは、脱穀部Ａの受網２ｂから落下供給される脱穀処理物と、再処理部Ｂから落下供給される処理物とを、揺動選別装置１０と、第１唐箕２１、第２唐箕２２、２番唐箕２３それぞれからの選別風と、排塵ファン２４とによって次の如く選別処理するとともに排出処理する。
【００２９】
すなわち、脱穀部Ａの受網２ｂの始端部から落下供給される脱穀処理物を揺動するグレンパン１１によって機体後方向きに搬送しながら粗選別処理する。このグレンパン１１の終端から落下する処理物を、チャフシーブ１２の上に落下する前に、選別杆装置１４と、この選別杆装置１４の上方に第２唐箕２２から供給される選別風とによってさらに粗選別処理する。このとき、処理物は選別杆装置１４の篩線１４ａによって支持されながら第２唐箕２２からの選別風によって選別処理される。また、篩線１４ａによって処理物に振動を与えながら選別処理される。
【００３０】
選別杆装置１４から落下する処理物を、脱穀部Ａの受網２ｂの終端側から落下供給される処理物、及び、再処理部Ｂから落下する処理物と共に、揺動するチャフシーブ１２、ストローラック１３、グレンシーブ１５によって機体後方向きに搬送しながら、チャフシーブ１２、ストローラック１３、グレンシーブ１５による揺すりと、各唐箕２１，２２，２３からの選別風とによって１番処理物と２番処理物と塵埃とに精選別処理し、１番処理物をグレンシーブ１５や流下ガイド１７から１番コンベア６に落下させて供給し、２番処理物をグレンシーブ１５、ストローラック１３や流下ガイド１８から２番コンベア７に落下させて供給する。そして、塵埃を各唐箕２１，２２，２３からの選別風と共に排塵ファン２４に吸引させて機体外に排出したり、ストローラック１３の終端から機体外に排出する。
【００３１】
〔別実施形態〕
図４（ａ），（ｂ）は、別の実施形態を備える選別杆装置１４を示し、この選別杆装置１４は、分岐板２５の上面側に前端側が連結して支持され、後端側がチャフシーブ１２の上方に位置する状態で揺動選別装置１０の横方向に並んでいる複数本の板体１４ｃと、この板体１４ｃどうしの間に穀粒などの処理物がチャフシーブ１２の前端側に落下するように隙間を設けて形成した処理物落下通路１４ｂとで成り、グレンパン１１の終端と選別杆装置１４との間に落差を伴う選別風路Ｆ１を形成して、第２唐箕２２からの選別風が選別杆装置１４の上に供給されるようにしている。板体１４ｃは、揺動選別装置横向きの板部分と揺動選別装置上下向きの板部分とができるように折り曲げ成形した板金によって作成してある。
これにより、この選別杆装置１４は、グレンパン１１からの処理物を板体１４ｃと処理物落下通路１４ｂとによって選別処理するとともに板体１４ｃによって支持させながら、第２唐箕２２から選別風を作用させて選別処理する。
【００３２】
前記篩線１４ａと板体１４ｃのいずれもは、処理物に支持作用するものだから、これら篩線１４ａと板体１４ｃを総称して処理物支持杆１４ａ，１４ｃと呼称する。
【図面の簡単な説明】
【図１】脱穀機全体の断面図
【図２】選別装置前端部の断面図
【図３】選別杆装置の一部の平面図
【図４】図４（ａ）は、別の実施形態を備える選別杆装置の断面図、図４（ｂ）は、別の実施形態を備える選別杆装置の一部の平面図
【符号の説明】
１０            揺動選別装置
１１            グレンパン
１２            チャフシーブ
１４            選別杆装置
１４ａ，１４ｃ  処理物支持杆
１４ｂ          処理物落下通路
１５            グレンシーブ
２１            唐箕
２２            第２唐箕
Ｆ２            送風路
【図１】
0003573664.tif 000002
【図２】
0003573664.tif 000003
【図３】
0003573664.tif 000004
【図４】
0003573664.tif 000005